(57)【要約】【課題】本発明は、ワイヤーを用いるだけの簡単な構成で、しかも、既存の耕深ハンドルを回動操作するだけで、リヤカバーの持ち上げが容易で、且つ軽く持ち上げ操作することができ、また、ワイヤー不使用時には、ワイヤーの収納保持が容易に行えるようにする。【解決手段】本発明は、耕深ハンドル３６の回動操作で昇降する昇降可能なスライドヒッチ３４と耕耘カバー２４の後端部に設けられた上下回動可能なリヤカバー２６をワイヤー３８でもって係脱可能に連動連結し、スライドヒッチ３４の上昇操作でリヤカバー２６を強制的に持ち上げるべく連動構成してあるロータリ耕耘作業機において、耕耘作業時には、不要となるワイヤー３８をリヤカバー２６側より取り外してスライドヒッチ３４側に収納保持すべくワイヤ係止手段４３を設ける構成とする。【選択図】図４
2014124105.tif 000002
【特許請求の範囲】
【請求項１】
耕深ハンドル（３６）の回動操作で昇降する昇降可能なスライドヒッチ（３４）と耕耘カバー（２４）の後端部に設けられた上下回動可能なリヤカバー（２６）をワイヤー（３８）でもって係脱可能に連動連結し、スライドヒッチ（３４）の上昇操作でリヤカバー（２６）を強制的に持ち上げるべく連動構成してあるロータリ耕耘作業機において、耕耘作業時には、不要となるワイヤー（３８）をリヤカバー（２６）側より取り外してスライドヒッチ（３４）側に収納保持すべくワイヤ係止手段（４３）を設けてあることを特徴とするロータリ耕耘作業機。
【請求項２】
前記ワイヤー（３８）収納時は、スライドヒッチ（３４）の周りに巻き掛けた状態で収納保持すべく構成してあることを特徴とする請求項１記載のロータリ耕耘作業機。
【請求項３】
前記ワイヤー（３８）のリヤカバー（２６）側端部の取付手段は、スライドヒッチ（３４）側の取付手段（３９）を利用して収納保持するよう構成してあることを特徴とする請求項１又は請求項２記載のロータリ耕耘作業機。
【請求項４】
前記スライドヒッチ（３４）側に設けられたワイヤ取付部は、係止ピン（４２）を有するＵ字型取付ブラケット（３９）からなり、リヤカバー持ち上げ時の後ろ向き姿勢とワイヤ収納時の横向き姿勢とに姿勢変更可能に構成してあることを特徴とする請求項１又は請求項２又は請求項３記載のロータリ耕耘作業機。
【発明の詳細な説明】
【技術分野】
【０００１】
この発明は、農業用トラクタに装備されるロータリ耕耘作業機に関するものである。
【背景技術】
【０００２】
従来、例えば、特許文献１に開示された技術は、リヤカバーの持ち上げに際し、耕耘カバー側に固着したＵ型ブラケットに軸架した支持軸の一側に持ち上げアームを固着し、該持ち上げアームの他側には持ち上げレバーを取り付け、持ち上げアームと持ち上げレバーとの間に持ち上げアームを上方向きに回動付勢するスプリングを介装してなる構成の持ち上げ付勢手段を介して持ち上げレバーの操作でリヤカバーを持ち上げ支持するようになっている。
【先行技術文献】
【特許文献】
【０００３】
【特許文献１】特開２００７−６７７６号公報
【発明の概要】
【発明が解決しようとする課題】
【０００４】
上記構成のリヤカバーの持ち上げ付勢手段は、構成が複雑であるばかりでなく、特にレバー操作による場合は、泥が付着して重くなったリヤカバーを持ち上げるには容易ではなく、多大の労力が必要となる。
【０００５】
本発明の課題は、ワイヤーを用いるだけの簡単な構成で、しかも、既存の耕深ハンドルを回動操作するだけで、リヤカバーの持ち上げが容易で、且つ軽く持ち上げ操作することができ、また、ワイヤー不使用時には、ワイヤーの収納保持が容易に行えるようにする。
【課題を解決するための手段】
【０００６】
この発明は、上記課題を解決すべく次のような技術的手段を講じた。
すなわち、請求項１記載の本発明は、耕深ハンドル（３６）の回動操作で昇降する昇降可能なスライドヒッチ（３４）と耕耘カバー（２４）の後端部に設けられた上下回動可能なリヤカバー（２６）をワイヤー（３８）でもって係脱可能に連動連結し、スライドヒッチ（３４）の上昇操作でリヤカバー（２６）を強制的に持ち上げるべく連動構成してあるロータリ耕耘作業機において、耕耘作業時には、不要となるワイヤー（３８）をリヤカバー（２６）側より取り外してスライドヒッチ（３４）側に収納保持すべくワイヤ係止手段（４３）を設けてあることを特徴とする。
【０００７】
リヤカバー持ち上げ時には、耕深ハンドル（３６）にてスライドヒッチ（３４）を上げ側に回動操作すると、リヤカバー（２６）はワイヤー（３８）を介して上方に大きく持ち上げられ、リヤカバーの裏側に付着した泥土の除去が容易に行える。
【０００８】
通常の耕耘作業時では、リヤカバー持ち上げ時のワイヤー（３８）は不要になるため、このワイヤーの収納時はリヤカバー（２６）側の取付部より取り外し、スライドヒッチ（３４）側に設けられた係止具（４３）に取り付けて収納保持する。
【０００９】
請求項２記載の本発明は、請求項１において、前記ワイヤー（３８）収納時は、スライドヒッチ（３４）の周りに巻き掛けた状態で収納保持すべく構成してあることを特徴とする。
【００１０】
スライドヒッチを前後スライド可能に支持するリフトヒッチアーム側にワイヤ収納保持部品を設けると、スライドヒッチの位置によってはワイヤーがワイヤ保持部品に届かなくなる場合があるが、ワイヤーをスライドヒッチ側に巻き掛けて収納保持するので、スライドヒッチの位置にかかわらず、ワイヤーを簡単に収納保持することができる。
【００１１】
請求項３記載の本発明は、請求項１又は請求項２において、前記ワイヤー（３８）のリヤカバー（２６）側端部の取付手段は、スライドヒッチ（３４）側の取付手段（３９）を利用して収納保持するよう構成してあることを特徴とする。
【００１２】
上記構成によると、ワイヤー収納保持用係止手段は、スライドヒッチ側の取付ブラケット（３９）を利用するので、ワイヤ保持部品を別個に設ける必要がなく、部品点数が少なくて済み、安価に実施することができる。
【００１３】
請求項４記載の本発明は、請求項１又は請求項２又は請求項３において、前記スライドヒッチ（３４）側に設けられたワイヤ取付部は、係止ピン（４２）を有するＵ字型取付ブラケット（３９）からなり、リヤカバー持ち上げ時の後ろ向き姿勢とワイヤ収納時の横向き姿勢とに姿勢変更可能に構成してあることを特徴とする。
【００１４】
リヤカバーの持ち上げ時には、Ｕ字型取付ブラケット（３９）は後ろ向き姿勢に姿勢変更した状態でこの係止ピン（４２）に係止したワイヤー（３８）を介してリヤカバー（２６）を持ち上げる。
【００１５】
ワイヤー収納時には、Ｕ字型取付ブラケット（３９）を横向き姿勢に姿勢変更し、リヤカバー側から取り外したワイヤー（３８）をスライドヒッチと平行するように左右横方向に沿わせた状態で収納保持することができる。
【発明の効果】
【００１６】
要するに、請求項１記載の本発明によれば、ワイヤーを用いるだけの簡単な構成でリヤカバーの持ち上げが容易で軽く持ち上げ操作することができる。
また、通常の耕耘作業時には、ワイヤーをリヤカバー側から取り外してスライドヒッチ側に収納保持することができるので、ワイヤーの紛失の恐れがなく、リヤカバー持ち上げ時には、即座に収納位置から取り出して対処することができ便利である。
【００１７】
請求項２記載の本発明によれば、請求項１記載の効果に加えて、収納時のワイヤーはスライドヒッチに巻き掛けて収納保持するので、スライドヒッチの前後方向の位置変更にかかわらず、ワイヤーを簡単に収納保持することができる。
【００１８】
請求項３記載の本発明によれば、請求項１又は請求項２記載の効果に加えて、収納時におけるワイヤーのリヤカバー側端部の取付手段は、スライドヒッチ側の取付手段を利用するので、ワイヤ保持部品を別個に設ける必要がなく、部品点数が少なくて済み、安価に実施することができる。
【００１９】
請求項４記載の本発明によれば、請求項１又は請求項２又は請求項３記載の効果に加えて、ワイヤー収納時には、Ｕ字型取付ブラケットを横向き姿勢に姿勢変更して、リヤカバー側から取り外したワイヤーをスライドヒッチと平行するように左右横方向に沿わせた状態で収納保持することができる。従って、収納時のワイヤがたるみなどによって上方に嵩張らず、邪魔にならないため、作業に支障をきたすことがない。
【図面の簡単な説明】
【００２０】
【図１】ロータリ耕耘作業機を備えたトラクタの側面図
【図２】ロータリ耕耘作業機の要部の側面図
【図３】同上要部の側面図
【図４】スライドヒッチの側面図
【図５】同上要部の斜視図
【図６】同上要部の斜視図
【図７】ワイヤ収納保持手段を備えたスライドヒッチ要部の斜視図
【図８】スライドヒッチ部要部の斜視図
【図９】同上要部の斜視図
【図１０】スライドヒッチ部と取付ブラケットの斜視図
【図１１】（ａ）及び（ｂ）は取付ブラケットの姿勢変更状態を示す背面図
【図１２】ワイヤー端部のスプリングフック部を示す斜視図
【図１３】ロータリ耕耘作業機の要部の側面図
【図１４】ロータリ耕耘作業機に備えた耕深制御用オートリンク機構の斜視図
【図１５】ＰＴＯ軸カバーを備えたロータリ耕耘作業機要部の側面図
【発明を実施するための形態】
【００２１】
この発明の実施例を図面に基づき説明する。
図１は、ロータリ耕耘作業機を備えたトラクタを示し、車体１前部のボンネット２内部にエンジンＥを搭載し、このエンジンＥの回転動力をミッションケ−ス３内の変速装置に伝え、この変速装置で減速された回転動力を前輪４及び後輪５とに伝えるようにしている。エンジンＥの後方に前輪４，４を操舵するステアリングハンドル６が装備され、更に、その後方には運転席７が設置されている。
【００２２】
ミッションケ−ス３の後方上部には油圧シリンダケース８が搭載され、このシリンダケース８の左右両側部には、油圧昇降機構の一部を構成するリフトアーム９，９が回動自在に枢支されている。シリンダケース８内に収容されている作業機昇降用油圧シリンダ１０に作動油を供給するとリフトアーム９，９が上方に回動し、排出するとリフトアーム９，９は下降するようになっている。
【００２３】
車体後部にはトップリンク１１と左右のロワリンク１２からなる３点リンク機構を設け、同リンク機構にロ−タリ耕耘作業機１３を連結している。このロ−タリ耕耘作業機１３は、コントロールレバー１５を操作すると前記リフトア−ム９の上下動によりリフトロッド１４を介して昇降するようになっている。
【００２４】
ロータリ耕耘作業機１３は、中央のギヤボックス１８から左右両側に枠体を延出して耕耘フレーム１９を構成し、枠体の一側にはチエンケース２０が設けられている。前記ギヤボックス１８の左右両側からトップリンクマスト２１を突設し、３点リンク機構のトップリンク１１をマスト２１の前側端部に連結している。トラクタ本体から突設するＰＴＯ軸２２の回転動力がギヤボックス１８内伝動機構に伝達され、更に、チエンケース２０内の耕耘伝動機構を経てロータリ軸２３に伝達されるようになっている。
【００２５】
耕耘カバー２４の後端部には、左右横方向の支軸２５を支点としてリヤカバー２６が上下回動自在に枢着支持されている。耕耘フレーム１９から後方に延出する支持ステー２７とリヤカバー２６側から突設したカバー側取付ステー２８との間には、張圧ばね２９を介して伸縮可能な支持ロッド（プレッシャロッド）３０がピン軸３１によって連結支持され、リヤカバーが張圧ばね２９によって常時下方側に向けて張圧保持されるようになっている。また、リヤカバー２６は、回動ハンドル３２の回動操作でねじ機構３３を介して上下回動する構成になっており、作業形態によってカバー回動位置を「畦立」「耕耘」「代掻き」状態に回動操作することができる。
【００２６】
前記マスト２１の後側端部と昇降可能なスライドヒッチ３４には、ねじ機構を用いたリフト機構３５がそれぞれ回動自在に連結され、耕深ハンドル３６の回動操作によりスライドヒッチ３４が上下に昇降するようになっている。スライドヒッチ３４は、耕深ハンドル３６の操作で昇降するリフトヒッチアーム１７に対して前後にスライド調節可能に構成されている。
【００２７】
次に、リヤカバー２６の持ち上げ手段（はね上げ手段）について説明すると、両端にループ状のフック部３８ａ，３８ａを備えたワイヤー３８の一端側は、端部のフック部３８ａをスライドヒッチ３４側にセットした取付ブラケット３９の係止フック４０に引っ掛けるようにし、該ワイヤー３８の他端側は、その端部のフック部３８ａを前記カバー側取付ステー２８の側方に長く延設したピン軸３１に挿通係止してヘヤピンにより抜け止めする。そして、耕深ハンドル３６をスライドヒッチ上げ側に回動操作すると、リヤカバー２６が図２の状態から図３のように上方へ大きくはね上がるようになっている。
【００２８】
図４〜図６に示す実施例では、スライドヒッチ３４側の取付ブラケット３９はコ字型（又はＵ字型）に形成してあり、その取付ブラケット３９に設けた係止ピン４２にワイヤー３８のフック部３８ａを挿通して係止するようになっている。  通常の耕耘作業時には、リヤカバー持ち上げ時のワイヤーは不要になるため、このワイヤーを収納する時には、リヤカバー２６側の取付部（取付ステー２８）より取り外し、スライドヒッチ３４側に設けられた係止具４３に取り付けて収納保持する。この係止具４３は、弾性変位可能な板ばね４３ａ，４３ｂからなり、これら両者間にワイヤーを挟み込んで保持するようになっており、左右のリフトヒッチアーム１７ａ，１７ｂ間を結ぶ連結部材１７ｃに取り付けられている。
【００２９】
また、ワイヤーの収納保持手段において、図７例では、ワイヤー収納時は、スライドヒッチ３４の周りに巻き掛けた状態で収納保持すべく前記取付ブラケット３９とは別に設けられた係止具４３によって係止するようになっている。
【００３０】
更に、図８及び図９例では、ワイヤー３８をスライドヒッチ３４を一周するように巻き掛け、スライドヒッチ３４側の取付手段、つまり、取付ブラケット３９と係止ピン４２を利用し、ワイヤー３８両端のフック部３８ａ．３８ａを係止ピン４２にて挿通係止して収納保持し、ヘヤピン４１によって抜け止めするようになっている。
【００３１】
また、図１０、図１１例では、スライドヒッチ３４側のコ字型（Ｕ字型）取付ブラケット３９を固定ボルト４５を中心として後ろ向き（図１１ａ参照）と横向き（図１１ｂ参照）とに姿勢変更可能に構成している。固定ボルト４５はスライドヒッチ３４に溶接された固定ナット４６にねじ込み、取付ブラケット３９の姿勢変更後はロックナット４７で締付固定する。要するに、ワイヤー収納時には、取付ブラッケト３９を図１１ｂのように横向き姿勢に姿勢変更すれば、ワイヤー３８は、係止具４３に係止保持することでスライドヒッチ３４と平行するように沿わせた状態で収納保持することができる。
【００３２】
なお、ワイヤーの係止保持手段としてクランプ式にしたり、マグネット式にしたりすることで、回動位置、スライドヒッチの位置に左右されることなく、ワイヤーの収納が容易にできる。また、この係止保持手段（特に係止具４３）の取付位置を任意移動調節できるように構成することもできる。
【００３３】
ワイヤー３８両端のフック部を図１２に示すようなスプリングフック３８Ｓに構成しておくと、リヤカバー側の取付部、スライドヒッチ側の取付部やワイヤ収納用係止具などが単純な構成のループ状フック部構成にあっても簡単にワイヤーを引っ掛けることができ、且つ、フック部からの外れも確実に防止することができる。
【００３４】
クイック５Ｐ方式のロータリの自動耕深制御機構において、リヤカバーに連動する連動ワイヤ４８の長さを調整し易くするため、図１３に示すように、ワイヤ調整固定部４９をハウジングパイプ５０の上側に配置構成することで、ワイヤの長さ調整部がハウジングパイプ５０と下側の耕耘カバー２４との間にあった従来構成のものに比べて調整が容易にできる。
【００３５】
また、従来は、オートブラケットを用いてアーム５１、ロッド５２（リヤカバー２６と連動）や連動ワイヤ４８等からなるオートリンクを架設している。本例では、従来のオートブラケットに代えてプレッシャロッド３０を支持する支持ステー２７を流用する（図１４参照）ことで、部品点数が少なくて済み安価に実施することができる。
【００３６】
図１５例に示すＰＴＯカバー５３は、車体側から突設したトップリンク１１支持用のトップリンクブラケット５４側に設けたカバー支点軸５５を支点として揺動開閉可能に枢着した構成としている。かかる構成によると、ＰＴＯカバーの開閉角度が大きくなり、作業機のマッチングが容易となる。また、ＰＴＯカバー専用の取付ブラケットが不要となり、部品点数の削減化を図ることがきる。
【００３７】
なお、上記構成において、トップリンクブラケット側に凹部（窪み）を設け、ＰＴＯカバー側に凸部（突起）を設けて、カバーが所定角度までくると凸部が凹部に入り込んでカバーをロックするように構成することができる。
【００３８】
また、トップリンクブラケットにトップリンク専用の固定箇所を設け、ロックピンによってトップリンクの可動域を規制するように構成しておくと、急な落下を防ぐことができる。
【００３９】
主変速レバーの操作方向を直線（前後）シフトする構成のトラクタにおいて、オートブレーキ機構（旋回時内側の後輪にブレーキをかける）が作動可能な状態で、副変速を「高」の位置とした際に、警告ランプの点灯又は点滅、警告ブザーの作動、また、液晶表示部に表示させてオペレータに注意を促すように構成することで、安全性の向上を図ることができる。
【００４０】
また、主変速レバーの操作方向を直線（前後）シフトする構成のトラクタにおいて、３Ｐリンクが一定高さより下がった状態で、副変速を「高」の位置とした際においても、警告ランプの点灯又は点滅、警告ブザーの作動、また、液晶表示部に表示させてオペレータに注意を促すように構成することで、安全性の向上を図ることができる。
【符号の説明】
【００４１】
１３    ロータリ耕耘作業機
２４    耕耘カバー
２６    リヤカバー
３４    スライドヒッチ
３６    耕深ハンドル
３８    ワイヤー
３９    取付手段（取付ブラケット）
４２    係止ピン
４３    ワイヤ係止手段（係止具）
【図１】
2014124105.tif 000003
【図２】
2014124105.tif 000004
【図３】
2014124105.tif 000005
【図４】
2014124105.tif 000006
【図５】
2014124105.tif 000007
【図６】
2014124105.tif 000008
【図７】
2014124105.tif 000009
【図８】
2014124105.tif 000010
【図９】
2014124105.tif 000011
【図１０】
2014124105.tif 000012
【図１１】
2014124105.tif 000013
【図１２】
2014124105.tif 000014
【図１３】
2014124105.tif 000015
【図１４】
2014124105.tif 000016
【図１５】
2014124105.tif 000017